(57)【特許請求の範囲】
【請求項１】
テレビカメラを雲台に取り付け、カメラ動作を遠隔操作する雲台装置において、
上記テレビカメラに取り付けられたワイパーを試験的に駆動させるテスト操作部を、遠隔操作部とは別個に上記雲台側に設けたことを特徴とするワイパー操作部を備えた雲台装置。
【請求項２】
上記テスト操作部を上記雲台に対し着脱自在に取り付け、この雲台から離脱した状態でワイパー操作を実行できるようにしたことを特徴とする上記第１請求項記載のワイパー操作部を備えた雲台装置。
【発明の詳細な説明】
【０００１】
【発明の属する技術分野】
本発明は、テレビカメラを遠隔駆動するための雲台装置においてワイパーを駆動するためのワイパー操作部の構成に関する。
【０００２】
【従来の技術】
監視カメラ等のテレビカメラにおいては、雲台に支持された状態で、鉄塔、ビル屋上等に設置され、離れた場所の監視室等で遠隔操作する雲台装置が知られている。この雲台装置は、雲台を駆動することによりテレビカメラを、例えばパン（左右方向）、チルト（上下方向）に動かすことができ、これによりテレビカメラで捉えられる領域の映像がモニタ等に表示される。
【０００３】
図５には、テレビカメラ及び雲台が示されており、テレビカメラ１を取り付けた雲台２は、例えば鉄塔等の載置部（台）３に設置される。この雲台２によれば、テレビカメラ１に連結した駆動軸を回転させてチルト動作を行い、載置部３側の駆動軸で雲台２自体を回転させてパン動作を行うことができる。
【０００４】
そして、上記テレビカメラ１の前部には、撮影窓ガラス４が設けられており、この撮影窓ガラス４を払拭するためのワイパー５が取り付けられている。このワイパー５は、内部の駆動部に接続されており、この駆動部を離れた場所のリモート（遠隔）操作部によって制御することにより、ワイパー５を作動させるようになっている。
【０００５】
【発明が解決しようとする課題】
しかしながら、上記の雲台装置では、テレビカメラ１の設置場所で試験的にワイパー５を作動させる際には、リモート操作部が配置された場所との連絡等を取る必要があり、試験的な操作が行い難いという問題があった。即ち、テレビカメラ１の設置の際、或いはワイパー５に関する部品の交換や修理等のメンテナンスの際には、上記ワイパー５を試験的に作動させ、払拭動作が良好に実行されるかを確認する必要があり、従来においては、離れた場所の監視室等の操作者に連絡を取ったり、又はその場所に別の作業者を送ったりして、ワイパースイッチの操作を行うようにしている。従って、作業に人手及び時間がかかり、非効率的であった。
【０００６】
本発明は上記問題点に鑑みてなされたものであり、その目的は、ワイパーに関する操作をテレビカメラの設置場所で実行でき、設置作業やメンテナンス作業を効率よく行うことが可能となるワイパー操作部を備えた雲台装置を提供することにある。
また、ワイパー操作を現場で行う際には、作業者を危険な状態から守る必要があり、他の目的は、安全性が確保できるワイパー操作部を備えた雲台装置を提供することにある。
【０００７】
【課題を解決するための手段】
上記目的を達成するために、第１請求項の発明に係るワイパー操作部を備えた雲台装置は、テレビカメラを雲台に取り付け、カメラ動作（テレビカメラ及び雲台の全ての動作）を遠隔操作する雲台装置において、上記テレビカメラに取り付けられたワイパーを試験的に駆動させるテスト操作部を、遠隔操作部とは別個に上記雲台側に設けたことを特徴とする。
第２請求項に係る発明は、上記テスト操作部を上記雲台に対し着脱自在に取り付け、この雲台から離脱した状態でワイパー操作を実行できるようにしたことを特徴とする。
【０００８】
上記第１請求項の構成によれば、テレビカメラの設置現場において、テスト操作部でワイパーを作動させ、払拭動作を確認することが可能となり、メンテナンス作業等が容易となる。
【０００９】
第２請求項の構成によれば、例えば所定長さのケーブルで雲台に取り付けられ、収納部に着脱自在とされることになり、雲台から離れた所でワイパーの操作が可能となる。即ち、テレビカメラは、鉄塔やビルの屋上等に設置されることから、雲台に取り付けたテスト操作部の操作が危険な状況となる場合も考えられる。しかし、上記構成では、テスト操作部を雲台から取り外して離れた位置で操作できるようにしたので、動作確認作業を安全な場所で行うことが可能となる。
【００１０】
更に、上記のテスト操作部は、所定長さのケーブル及びコネクタを取り付け、雲台側のコネクタ受けにコネクタ接続する構成としたり、赤外線等を利用したリモコン操作部としてもよい。
【００１１】
【発明の実施の形態】
図１及び図２には、実施形態の第１例に係るワイパー操作部を備えた雲台装置が示されている。図において、テレビカメラ１１は雲台１２に取り付けられ、この雲台１２が鉄塔等の載置部３に固定される。この雲台１２は、上側の可動部１２Ａが下側の固定部１２Ｂに対し回動（パン駆動）するように構成される。即ち、テレビカメラ１側に配置される駆動軸を回転させれば、チルト動作が行われ、載置部３側の駆動軸で可動部１２Ａ自体を回転させれば、パン動作が行われる。
【００１２】
また、上記テレビカメラ１１の前面の撮影窓ガラス１３には、ワイパー１４が配置されており、このワイパー１４は上側のワイパー駆動部１５に接続される。更に、実施形態例では、上記雲台１２の固定部１２Ｂの基台に、洗浄水の噴射ノズル１７が設けられ、この噴射ノズル１７には、供給パイプ１８を介してポンプを有するウォッシャータンク１９が接続されている。
【００１３】
このウォッシャータンク１９は、ポンプを作動させることにより貯留している洗浄水を噴射ノズル１７へ供給することができ、これによって噴射ノズル１７からは、図示されるように洗浄水が上記撮影窓ガラス１３へ向けて噴射される。なお、監視室等の遠隔場所には上記ワイパー１４及びポンプの動作を含めて、テレビカメラ１１及び雲台１２に関する全ての動作を遠隔操作するリモート操作部が配置されている。
【００１４】
そして、上記のような雲台１２には、信号線ケーブル２１を介してテスト操作部２２が接続されており、このテスト操作部２２には、例えばワイパースイッチ２２Ａとウォッシャースイッチ２２Ｂが設けられる。このスイッチ２２Ａ，２２Ｂは、雲台１２内の制御回路に接続されており、この制御回路がスイッチ動作信号を入力して、上記ワイパー駆動部１５、ウォッシャータンク１７内のポンプを制御することになる。
【００１５】
また、雲台１２の可動部１２Ａの正面部に、上記テスト操作部２２を着脱自在に配置する収納金具２３が取り付けられる。この収納金具２３は、図示されるように、枠状の保持金具からなり、上側から操作部２２を挿入・配置した状態で、各スイッチ２２Ａ，２２Ｂを押し操作できるようになっている。なお、この収納金具２１の配置位置は、図示された正面側の位置以外でもよく、例えば左側面側に設けることができる。
【００１６】
上記第１例の構成によれば、テスト操作部２２は収納金具２３から着脱自在となり、取付け設定、部品交換、点検、修理等の際では、図示のようにテスト操作部２２を収納金具２３から取り外すことができる。そして、このテスト操作部２２によれば、ワイパースイッチ２２Ａを押すことにより、ワイパー１４が作動し、ウォッシャースイッチ２２Ｂを押すことにより、洗浄水が撮影窓ガラス１３へ噴射されることになる。このようにして、現場にてワイパー１４の払拭動作の確認と、噴射ノズル１７及びウォッシャータンク１９による洗浄水の噴射状態の確認ができることになる。
【００１７】
また、上記構成においては、テスト操作部２２を雲台１２から取外して離れた場所から操作できるので、危険な状態の作業を回避できる利点がある。即ち、鉄塔やビルの屋上等に設置された雲台に取り付けたテスト操作部が、設置状況によっては操作し難い場所に配置されることがあり、この場合には、ワイパー動作やウォッシャー噴射動作の確認をする際に、危険な姿勢での操作が強いられる。しかし、本発明では、上述のようにテスト操作部２２を任意の位置に移動させることができるので、安全な状態での操作が確保される。なお、この第１例では、収納金具２３にテスト操作部２２を取り付けた状態での操作もでき、これは安全性に問題がない状態での操作に有効である。
【００１８】
図３には、実施形態の第２例の構成が示されており、この第２例は操作部をコネクタ接続するようにしたものである。即ち、図３に示されるように、テスト操作部２２には、コネクタ（雄部）２５が取り付けられたケーブル２６を接続すると共に、雲台１２にはコネクタ受け（雌部）２７を取り付ける構成とされる。
【００１９】
この第２例の場合も、上記コネクタ２５をコネクタ受け２７に接続すれば、雲台１２から離れた場所でテスト操作部２２を操作でき、安全な状態でワイパー１４等を作動させることができる。また、１台のテスト操作部２２で複数のテレビカメラ１１のワイパー１４等が操作可能となる利点がある。
【００２０】
図４には、実施形態の第３例の構成が示されており、この第３例はリモコン操作部としたものである。即ち、図４に示されるように、リモコン操作部（テスト操作部）３０には、赤外光の制御信号を発光する発光素子３１が設けられ、雲台１２側に受光素子３２が配置される。この第３例によれば、リモコン操作部３０のワイパースイッチ３０Ａ及びウォッシャースイッチ３０Ｂの操作に応じた赤外光の制御信号を出力することにより、ワイパー１４の作動及び噴射ノズル１７からの洗浄水の噴射が可能となる。
【００２１】
【発明の効果】
以上説明したように、第１請求項に係る発明によれば、テレビカメラに取り付けられたワイパーを試験的に駆動させるテスト操作部を、遠隔操作部とは別個に雲台側に設けたので、テレビカメラの設置現場でワイパーに関する操作を実行することができ、設置作業やメンテナンス作業を効率よく行うことが可能となる。
【００２２】
第２請求項に係る発明によれば、上記テスト操作部を雲台に対し着脱自在に取り付け、この雲台から離脱した状態でワイパー操作を実行できるようにしたので、鉄塔やビル屋上の現場で、ワイパー操作を行う際の安全性を確保でき、使い勝手のよい装置が得られるという利点がある。
【図面の簡単な説明】
【図１】本発明の実施形態の第１例に係るワイパー操作部を備えた雲台装置の構成を示す正面図である。
【図２】図１の雲台及びテレビカメラの側面図である。
【図３】実施形態の第２例の構成を示す雲台の部分図である。
【図４】実施形態の第３例の構成を示す雲台の部分図である。
【図５】従来のワイパー操作部を備えた雲台装置の構成を示す正面図である。
【符号の説明】
１，１１  …  テレビカメラ、
２，１２  …  雲台、
５，１４  …  ワイパー、
１３  …  撮影窓ガラス、
１５  …  ワイパー駆動部、
１７  …  噴射ノズル、
１９  …  ウォッシャータンク、
２２，３０  …  テスト操作部、
２２Ａ，３０Ａ  …  ワイパースイッチ、
２２Ｂ，３０Ｂ  …  ウォッシャースイッチ。
【図１】
0003684279.tif 000002
【図２】
0003684279.tif 000003
【図３】
0003684279.tif 000004
【図４】
0003684279.tif 000005
【図５】
0003684279.tif 000006